【手続補正書】
【提出日】平成24年12月14日(2012.12.14)
【手続補正１】
【補正対象書類名】特許請求の範囲
【補正対象項目名】全文
【補正方法】変更
【補正の内容】
【特許請求の範囲】
【請求項１】
第VIB族からの少なくとも１種の金属と、第VIII族からの少なくとも２種の金属と、多孔性の耐火性酸化物によって構成される少なくとも１種の担体とを含み、第VIII族からの少なくとも２種の金属のうちの１種は主要プロモータVIII-1と呼ばれ、１種または複数種の他のものは共プロモータVIII-iと呼ばれ、ここで、ｉは２〜５の範囲であり、第VIII族からの元素は、原子比［VIII-1／（VIII-1＋…＋VIII-i）］により定義される比で存在し、前記原子比は０．５〜０．８５の範囲である、触媒。
【請求項２】
第VIB族からの金属は、モリブデンおよびタングステンから選択される、請求項１に記載の触媒。
【請求項３】
第VIII族からの金属は、鉄、ニッケルおよびコバルトから選択され、主要プロモータ（VIII-1）は、コバルトまたはニッケルである、請求項１または２に記載の触媒。
【請求項４】
前記触媒は、第VIB族からの１種の金属と第VIII族からの２種の金属とを含み、第VIB族からの１種の金属はモリブデンであり、第VIII族からの２種の金属がニッケルおよびコバルトである、請求項１〜３のいずれか１つに記載の触媒。
【請求項５】
前記触媒は、リンおよびホウ素から選択される少なくとも１種のドーピング元素を含む、請求項３に記載の触媒。
【請求項６】
前記触媒は、第VIB族からの１種以上の金属を、全触媒質量に対する第VIB族からの１種以上の金属の三酸化物の重量で２〜９％の範囲の量で含み、第VIII族からの複数種の金属の合計量は、全触媒質量に対する第VIII族からの複数種の金属の酸化物の重量で０．３〜２％の範囲である、請求項１〜５のいずれか１つに記載の触媒。
【請求項７】
前記触媒は、第VIB族からの１種以上の金属を、全触媒質量に対する第VIB族からの１種以上の金属の三酸化物の重量で厳密に９％超且つ１７％未満の範囲の量で含み、第VIII族からの複数種の金属の合計量は、全触媒質量に対する第VIII族からの複数種の金属の酸化物の重量で厳密に２％超且つ５％未満である、請求項１〜５のいずれか１つに記載の触媒。
【請求項８】
請求項１〜７のいずれか１つによる少なくとも２種の触媒を含む触媒系であって、第一触媒は、第VIB族からの１種以上の金属を、全触媒質量に対する第VIB族からの１種以上の金属の三酸化物の重量で２〜９％の範囲の量で含み、第VIII族からの複数種の金属の合計量が、全触媒質量に対する第VIII族からの複数種の金属の酸化物の重量で０．３〜２％であり、第二触媒は、第VIB族からの１種以上の金属を、全触媒質量に対する第VIB族からの１種以上の金属の三酸化物の重量で厳密に９％超且つ１７％未満の範囲の量で含み、第VIII族からの複数種の金属の合計量が、全触媒質量に対する第VIII族からの複数種の金属の酸化物の重量で厳密に２％超且つ５％未満であり、前記第一および第二の触媒は、同じ原子比を有する、触媒系。
【請求項９】
前記第一触媒のマクロ孔容積が、全細孔容積（ＴＰＶ）の５％超である、請求項８に記載の触媒系。
【請求項１０】
前記第二触媒のマクロ孔容積が、全細孔容積（ＴＰＶ）の１０％未満である、請求項８または９に記載の触媒系。
【請求項１１】
重質炭化水素仕込原料の水素化処理方法であって、少なくとも１回の水素化脱金属工程と少なくとも１回の水素化脱硫工程とを包含し、水素化脱金属および水素化脱硫の工程のそれぞれにおいて同一の原子比を有する少なくとも１種の触媒を使用し、前記触媒は、請求項１〜７のいずれか１つによる触媒である、方法。
【請求項１２】
水素化脱金属工程は、第VIB族からの１種以上の金属を、全触媒質量に対する第VIB族からの１種以上の金属の三酸化物の重量で２〜９％の範囲の量で含み、第VIII族からの複数種の金属の合計量が、全触媒質量に対する第VIII族からの複数種の金属の酸化物の重量で０．３〜２％の範囲である、触媒を使用し、水素化脱硫工程は、第VIB族からの１種以上の金属を、全触媒質量に対する第VIB族からの１種以上の金属の三酸化物の重量で厳密に９％超且つ１７％未満の範囲の量で含み、第VIII族からの複数種の金属の合計量が、全触媒質量に対する第VIII族からの複数種の金属の酸化物の重量で厳密に２％超且つ５％未満である、触媒を使用する、請求項１１に記載の方法。
【請求項１３】
仕込原料は、１重量％超の沸点５００℃超の分子を有し、金属（Ｎｉ＋Ｖ）含有量が１重量ｐｐｍ超であり、ヘプタン中に沈殿するアスファルテン含有量が０．０５重量％超である、請求項１１または１２に記載の方法。
【請求項１４】
重質仕込原料は、粉末状の石炭と混合され、前記仕込原料は場合によっては、石炭の転化に由来し、新石炭と再混合される副生成物である、請求項１３に記載の方法。
【請求項１５】
前記方法は、固定床において、３２０〜４５０℃の範囲の温度、３〜３０ＭＰａの範囲の水素分圧、毎時の触媒の容積当たりの仕込原料容積０．０５〜５の範囲の毎時空間速度、および２００〜５０００標準立方メートル／立方メートルの範囲の気体水素対液体炭化水素仕込原料の比で行われる、請求項１１〜１４のいずれか１つに記載の方法。
【請求項１６】
前記方法は、沸騰床において、３２０〜４５０℃の範囲の温度、３〜３０ＭＰａの範囲の水素分圧、毎時の触媒容積当たりの仕込原料容積０．１〜１０の範囲の毎時空間速度、１００〜３０００標準立方メートル／立方メートルの範囲の気体水素対液体炭化水素仕込原料の比で行われる、請求項１１〜１４のいずれか１つに記載の方法。
【手続補正２】
【補正対象書類名】明細書
【補正対象項目名】００６６
【補正方法】変更
【補正の内容】
【００６６】
本発明の触媒のＢＥＴ比表面積（specific surface area：ＳＳＡ）は、有利には少なくとも１２０ｍ２／ｇ、好ましくは少なくとも１５０ｍ２／ｇである。用語「ＢＥＴ比表面積」は、定期刊行物「The Journal of the American Chemical Society」（１９３８年、６０巻、３０９頁）に記載されているブルノア・エミット・テーラー（BRUNAUER-EMMETT-TELLER）法に基づいて確立されたASTM D 3663-78規格に準拠する窒素吸着により測定される比表面積を意味する。
【手続補正３】
【補正対象書類名】明細書
【補正対象項目名】００９２
【補正方法】変更
【補正の内容】
【００９２】
好適な一実施形態によれば、スイング（swing）反応器（すなわち、交互に動作する反応器）であって、本発明のＨＤＭ触媒が好ましくは採用される、反応器が、装置の上流で用いられ得る。
【手続補正４】
【補正対象書類名】明細書
【補正対象項目名】０１１２
【補正方法】変更
【補正の内容】
【０１１２】
本発明の方法は有利には、金属および硫黄を除去すること、および炭化水素の平均沸点を下げることを目的として、固定床において行われ得る。本発明の方法が固定床で行われる場合、該方法が実行される温度は、有利には３２０〜４５０℃、好ましくは３５０〜４１０℃であり、水素分圧は有利には３〜３０ＭＰａの範囲、好ましくは１０〜２０ＭＰａの範囲であり、毎時空間速度は有利には時間当たりの触媒容積当たり仕込原料の容積０．０５〜５の範囲であり、且つ気体水素対液体炭化水素仕込原料比は、有利には２００〜５０００標準立方メートル／立方メートルの範囲、好ましくは５００〜１５００標準立方メートル／立方メートルの範囲である。
【手続補正５】
【補正対象書類名】明細書
【補正対象項目名】０１１３
【補正方法】変更
【補正の内容】
【０１１３】
本発明の方法は有利には、同じ仕込原料に関して沸騰床において実行され得る。本発明の方法が沸騰床で行われる場合、触媒は有利には、３２０〜４５０℃の範囲の温度、有利には３〜３０ＭＰａの範囲、好ましくは１０〜２０ＭＰａの範囲の水素分圧、時間当たりの触媒容積当たりの仕込原料容積、有利には０．１〜１０の範囲、好ましくは０．５〜２の範囲の毎時空間速度、且つ有利には１００〜３０００標準立方メートル／立方メートルの範囲、好ましくは２００〜１２００標準立方メートル／立方メートルの範囲の気体水素対液体炭化水素仕込原料の比で用いられる。